(57)【要約】【課題】従来の自動販売機においては、商品と深さがほぼ同じ凹部に配列されており、蛍光灯、ＬＥＤなどで照明されているものであり、商品の展示に個性が乏しく、多数の自動販売機が備えてある場所では訴求力が不足し販売力にも不足気味であった。【解決手段】本発明により、ミラー板１１とハーフミラー板１２とを、ハーフミラー板が観視側となり、ミラー板１１の鏡面１１ａがハーフミラー板と対峙するように平行に配置し、ミラー板とハーフミラー板との間には、発光方向が略前記ハーフミラー板に向かうように適宜配列とした適宜数の展示部用ＬＥＤ１３が配置され、ハーフミラー板の外側には商品サンプル１４が取付けられている商品展示部１０を有する自動販売機とすることで、従来にない奥行きの深く見える斬新な自動販売機の提供を可能として課題を解決する。【選択図】図３
2007257492.tif 000002
【特許請求の範囲】
【請求項１】
ミラー板とハーフミラー板とを、前記ハーフミラー板が観視側となり、前記ミラー板の鏡面が前記ハーフミラー板と対峙するように平行に配置し、前記ミラー板と前記ハーフミラー板との間には、発光方向が略前記ハーフミラー板に向かうように適宜配列とした適宜数のＬＥＤが配置され、前記ハーフミラー板の外側には商品サンプルが取付けられている商品展示部を具備することを特徴とする自動販売機。
【請求項２】
前記商品サンプルは、前記ハーフミラー板に向かい取付けられる裏面側が不透明部材で形成され、消費者側に側に向かい取付けられる表面側が透光性部材で形成され、この商品サンプルの内部に設けられたＬＥＤにより照明が行われていることを特徴とする請求項１記載の自動販売機。
【発明の詳細な説明】
【技術分野】
【０００１】
本発明は、飲料水、煙草などを販売するための自動販売機（自販機）に関するものであり、詳細には、販売品として前面に並べられる商品の展示部分のを見え方を斬新なものとして、購買者の注目度を向上させ、もって、売り上げの向上を図るものである。
【背景技術】
【０００２】
従来のこの種の自動販売機８０における商品サンプル９０の照明方法としては図４に示すようなものがあり、自動販売機８０内に商品を収納するために開閉可能とされている主扉８１の一部には凹部８２が設けられ、更に、前記凹部８２の前面は透明板８３で塞がれている。
【０００３】
そして、前記凹部８２の内部には商品サンプル９０が取付けられており、前記凹部８２には夜間にも前記商品サンプル９０を明確に確認できるようするＬＥＤ９１が設けられている。そして、この例では、前記ＬＥＤ９１は商品サンプル９０の下側エッジ部分９０ａに沿って複数が配置され、商品サンプル９０を均一な光で照射するように図られている。
【０００４】
このように、照明をＬＥＤ９１とすることで、蛍光灯、白熱電球などによる照明のように断線、或いは、劣化により照明が行えなくなる事態が防止できるものとなり、例えば定期的な巡回点検などの手間が省けるものとなり、メンテナンスの簡略化が可能となりランニングコストを低減することが可能となる。
【特許文献１】特開２００３−２２８７５６号公報
【発明の開示】
【発明が解決しようとする課題】
【０００５】
しかしながら、前記した従来の構成の自動販売機においては、何れにしても蛍光灯、白熱電球などをＬＥＤに代替したものに過ぎず、デザイン的に大きな変化が与えられるものではない。よって、繁華街、行楽地など多数の自動販売機が設置されているところでは、個性を発揮するには到らず、他の自動販売機と横並びの売り上げが得られるのが通常である。
【課題を解決するための手段】
【０００６】
本発明は、上記した従来の課題を解決するための具体的手段として、ミラー板とハーフミラー板とを、前記ハーフミラー板が観視側となり、前記ミラー板の鏡面が前記ハーフミラー板と対峙するように平行に配置し、前記ミラー板と前記ハーフミラー板との間には、発光方向が略前記ハーフミラー板に向かうように適宜配列とした適宜数のＬＥＤが配置され、前記ハーフミラー板の外側には商品サンプルが取付けられている商品展示部を具備することを特徴とする自動販売機を提供することで、従来にない突出したデザインを可能として、注目度を高め課題を解決するものである。
【発明の効果】
【０００７】
本発明により、商品の背景を、ハーフミラー側を観視側とした、ミラー板とハーフミラー板との間に光源を配置する構成としたことで、上記ミラー板とハーフミラー板とで交互に反射し合い、繰り返される光源の像がハーフミラー板を透過して観視者に見えることによって、現実の自動販売機の奥行き以上の奥行きを感じさせ、注目度を向上させ売り上げの向上などが期待できるものとする。
【発明を実施するための最良の形態】
【０００８】
つぎに、本発明を図に示す実施例に基づいて詳細に説明する。図１に符号１で示すものは本発明に係る自動販売機１の要部である商品展示部１０を断面で示すものであり、この商品展示部１０は、適宜な面積を有するミラー板１１と、ハーフミラー板１２とが平行に対峙され構成されている。
【０００９】
このときには、前記ミラー板１１の鏡面１１ａ側と、前記ハーフミラー板１２の半鏡面１２ａ側とが、向き合っていることが好ましく、また、前記ハーフミラー板１２の基板１２ｂは、例えば、適宜な透過度としたニュートラルグレイ色などとしておくと、商品展示部１０に入射する外光の影響を低減できるものとなる。同様な理由で、前記ミラー板１１の基板１１ｂは黒色など濃色としておくことが好ましい。
【００１０】
そして、前記ミラー板１１の前記ハーフミラー板１２に対峙する側の面には、例えば、縦横のマトリクス状などとして、展示部用ＬＥＤ１３の複数が、ほぼ、前記商品展示部１０の全面に渡り取付けられている。
【００１１】
また、本発明では、前記ハーフミラー板１２の基板１２ｂの外側には商品サンプル１４が取付けられており、この商品サンプル１４は、夜間の見え方の向上など必要に応じて、現実の商品と類似形状に形成された形状ダミー部１４ａと、商品サンプル基板１４ｂと、この商品サンプル１４を内側から照明する商品サンプル用ＬＥＤ１４ｃとから構成されている。
【００１２】
ここで、上記の構成を、更に詳細に説明すると、前記展示部用ＬＥＤ１３は、前記ミラー基板１１ｂに取付け、このミラー基板１１ｂの背面側から給電を行えば良いものであり、前記ミラー基板１４ｂは不透明な部材を使用して形成することが可能であるので、リード線が見えるなど見栄えを損じる問題は生じない。
【００１３】
しかしながら、前記商品サンプル用ＬＥＤ１４ｃにおいては、お互いが反射し合うミラー板１１の鏡面１１ａと、透明なハーフミラー板１２ｂの半鏡面１２ａとに挟まれる空間を引き回し、商品サンプル基板１４ｂに取付けられた商品サンプル用ＬＥＤ１４ｃに給電を行わなければならないものであるので、観視者から見える可能性があり、よって、観視者に違和感を生じさせない程度に目立たないものとしておくことが好ましい。
【００１４】
そこで、前記ハーフミラー基板１２ｂを、上記したようにニュートラルグレイ色などとしておくと共に、前記商品サンプル１４の商品サンプル基板１４ｂも不透明なものとしておき、前記商品サンプル１４を不透明のものとしておき、この商品サンプル１４の裏面で前記商品サンプル用ＬＥＤ１４ｃに接続を行わせるなどの手段により観視者に違和感を生じさせないように図る。
【００１５】
尚、図１中に符号１５で示すものは、前記ハーフミラー板１２を更に前方から覆い、前記商品サンプル１４が盗られたり、破損されたりするのを防御するアウターカバー板１５であり、概ねの場合、無色透明で耐衝撃性に優れる樹脂などで形成されている。
【００１６】
図２は、上記の説明のようにして構成された本発明の自動販売機１における観視者が見たときの商品展示部１０を見え方を示すものであり、観視者１６がハーフミラー板１２側から見るときには、まず、ハーフミラー板１２を透過する展示部用ＬＥＤ１３の実像が、この展示部用ＬＥＤ１３が取付けられた位置に見える。
【００１７】
同時に、前記ハーフミラー板１２で反射した展示部用ＬＥＤ１３からの光が再度にミラー板１１で反射して、前記ハーフミラー板１２に向かい、そして、前記ハーフミラー板１２を透過する分と、反射する分とに分離され、前記ハーフミラー板１２を透過した分が観視者１６に達し虚像Ｇの存在を感じさせるものとなり、反射した分は再再度ミラー板１１で反射してハーフミラー板１２に達するものとなる。
【００１８】
以上のようにしミラー板１１と、ハーフミラー板１２間を往復させると共に、往復したときの光の一部をハーフミラー板１２で透過させて観視者の視覚に虚像Ｇ（１、２、３、〜）を感じさせることで、前記商品展示部１０は現実にミラー板１１とハーフミラー板１２とが対峙している距離Ｄ以上の奥行きが感じられるものとなり、斬新な見え方の商品展示部１０が得られるものとなる。
【００１９】
図３は、上記に説明した本発明の商品展示部１０の見え方を、正面から見る状態で説明するもので、ここでは、展示部用ＬＥＤ１３が略縦横のマトリクス状にミラー板１１上に配置されている例で示したが、本発明は、これを限定するものではなく、例えば、同心円状、或いは、蜂の巣模様状など、どのように並べても良いものである。
【００２０】
上記のように、略縦横のマトリクス状に展示部用ＬＥＤ１３をミラー板１１上に配置した場合には、観視者が商品展示部１０の正面中心から見るときには、それぞれの展示部用ＬＥＤ１３の実像と虚像とで形成される列は、前記商品展示部１０の中心に収斂するように見えるものとなる。
【００２１】
そして、視点を変えると、収斂する位置も変わるものとなり、あたかも、商品展示部１０が観視者の移動に伴い移動するように見えて、動きの成分も加わった一層に斬新な自動販売機１の商品展示部１０が得られるものとなり、例えば、多数の自動販売機が設置されている場所でも、際だって注目度の高い見栄えのものとして訴求効果を向上し、売り上げを向上させることが可能となる。
【図面の簡単な説明】
【００２２】
【図１】本発明に係る自動販売機の要部である商品展示部を示す断面図である。
【図２】同じく本発明に係る自動販売機の商品展示部の作用を示す説明図である。
【図３】同じく本発明に係る自動販売機の商品展示部の表示時の状態を示す説明図である。
【図４】従来例を示す説明図である。
【符号の説明】
【００２３】
１…自動販売機
１０…商品展示部
１１…ミラー板
１１ａ…鏡面
１１ｂ…ミラー基板
１２…ハーフミラー板
１２ａ…半鏡面
１２ｂ…ハーフミラー基板
１３…展示部用ＬＥＤ
１４…商品サンプル
１４ａ…形状ダミー部
１４ｂ…商品サンプル基板
１４ｃ…商品サンプル用ＬＥＤ
１５…アウターカバー板
１６…観視者
【図１】
2007257492.tif 000003
【図２】
2007257492.tif 000004
【図３】
2007257492.tif 000005
【図４】
2007257492.tif 000006